(57)【要約】   【課題】  使用後にノズル可動部のゴミ詰まりなどに起因する作動戻り不良によって、噴出ノズルから燃料ガスが漏出し続けて残火が存在しても、この残火を確実に消火するガスライターを提供すること。  【解決手段】    操作ボタン３の操作により噴出ノズル６から燃料ガスを噴出させるとともに、点火機構を作動させて燃料ガスに着火させるガスライターにおいて、操作ボタン３と連動して移動する蓋部材11を設け、この蓋部材11は、操作ボタン３の非操作時に、噴出ノズル６上の燃料ガスの噴出を抑制する位置にあり、操作ボタン３の操作時に、燃料ガスの噴出を開放する位置に移動する消火機構を具備する。【選択図】      図２
2007198616.tif 000002
【特許請求の範囲】
【請求項１】
操作ボタンの操作により噴出ノズルから燃料ガスを噴出させるとともに、点火機構を作動させて上記燃料ガスに着火させるガスライターにおいて、
上記操作ボタンと連動して移動する蓋部材を設け、
上記蓋部材は、操作ボタンの非操作時に、上記噴出ノズル上の燃料ガスの噴出を抑制する位置にあり、操作ボタンの操作時に、燃料ガスの噴出を開放する位置に移動する消火機構を具備することを特徴とするガスライター。
【請求項２】
蓋部材は、噴出ノズル上から約９０度回動することを特徴とする請求項１に記載のガスライター。
【請求項３】
蓋部材は、燃料ガスと空気を混合するキャップの内側に設けられていることを特徴とする請求項１に記載のガスライター。
【請求項４】
先端に軸線から偏心して側方に突出した蓋部材を有し、後端にピニオンギアを有する回動部材と、操作ボタンに形成された上記ピニオンギアと噛み合うラックとにより消火機構が構成されることを特徴とする請求項１または請求項２に記載のガスライター。
【請求項５】
一端に蓋部材が形成され、他端に脚部が形成され、中間に軸部62が形成されたクランク状の回動部材と、操作ボタンに横長に形成された上記脚部が摺動するカム溝とにより消火機構が構成されることを特徴とする請求項１または請求項２に記載のガスライター。
【請求項６】
一端に蓋部材が形成され、他端に板状の摺動片が形成された棒状の回動部材と、操作ボタンに形成された上記回動部材の摺動片が摺動するカム溝とにより消火機構が構成されることを特徴とする請求項１または請求項２に記載のガスライター。
【発明の詳細な説明】
【技術分野】
【０００１】
本発明は、ガスライターの使用終了後に、ガスライターの残火を確実に消す消火機構を備えたガスライターに関し、特に噴出ノズルの弁機構の開閉に不具合が生じて燃料ガスが漏出しても、漏出ガスの流れを遮断して確実に消火する消火機構を備えたガスライターに関する。
【背景技術】
【０００２】
従来より、ガスライターは、たばこ等に点火する手段として意図的な操作によって燃料ガスの噴出と点火操作を同時に行って着火し、意図的に操作した状態を解除することにより消火を行っている。
【０００３】
操作を解除して消火状態に戻っても、粉塵が噴出ノズルの弁や噴出ノズルとガスレバーの間などに入り込むことなどによって噴出ノズルの弁が完全に閉塞することなく、燃料ガスが漏出することがある。このような漏出ガスにより着火状態（残火）が持続すると、予期しない火傷や火災などの事故に発展する可能性がある。
【０００４】
そこで、ガスライターの操作した状態を解除した際の消火を確実にするために、操作時のみ噴出ノズルを開放し、非操作時に噴出ノズルをバーナーキャップで塞ぐことにより、残火を消すように構成したガスライターが下記特許文献などにより開示されている。
【特許文献１】特開２００１−１０８２３４号公報
【特許文献２】特開平７−１５８８５２号公報
【発明の開示】
【発明が解決しようとする課題】
【０００５】
特許文献１に記載のガスライターにおいては、操作ボタンと同時に操作するセットボタンを設け、セットボタンに連動して左右に開動するバーナーキャップを備え、燃料ガスを噴出する噴出ノズルをバーナーキャップにより常時包囲し、セットボタンを押し下げた際にバーナーキャップが左右に開動して噴出ノズルを露出するように構成している。ライター使用後は、操作ボタンから指を離すことにより、操作ボタンの自動復帰に伴ってガスを遮断させる。何らかの不具合により燃料ガスが漏出した場合でも、リターンラバーの弾力で包囲状態に戻るバーナーキャップにより噴出ノズルを包囲して、漏出ガスに起因する残火を消すように構成している。
【０００６】
しかし、このガスライターは左右に開閉するバーナーキャップを噴出ノズルの周りに設けているので、バーナーキャップが左右に広がる空間をキャップ内に設ければならず、消火機構を小さくすることができないという問題がある。また、着火ボタンとは別のセットボタンの操作によりバーナーキャップを作動させねばならず、操作が面倒であった。
【０００７】
特許文献２に記載のガスライターにおいては、操作ボタンに設けたシャッターを非操作時には常時燃料ガスが噴出する噴出ノズルの吹出口に接触させ、着火操作時には操作ボタンの押し出しによって噴出ノズルから前方に押しだされてガス通路を開放し、ガスライター使用後は、操作ボタンから指を離すことにより、操作ボタンの自動復帰に伴ってガスを遮断させるとともにシャッターが噴出ノズル上で留まるように構成している。
【０００８】
しかし、このガスライターにおいてはシャッターが前方に押し出されるために、前方に広い空間を設けなければならず、消火機構を小さくすることができないという問題がある。また、シャッターは操作ボタンに片持ちさせているので、頻回の操作により次第にガタを生じてくるという課題があった。
【０００９】
そこで、この発明の消火機構を備えたガスライターは、このような課題を解決するために考えられたものであって、消火機構の可動空間を小さくし、構成および操作を簡素化したものである。
【課題を解決するための手段】
【００１０】
この発明のガスライターは、操作ボタンの操作により噴出ノズルから燃料ガスを噴出させるとともに、点火機構を作動させて上記燃料ガスに着火させるガスライターにおいて、上記操作ボタンと連動して移動する蓋部材を設け、上記蓋部材は、操作ボタンの非操作時に、上記噴出ノズル上の燃料ガスの噴出を抑制する位置にあり、操作ボタンの操作時に、燃料ガスの噴出を開放する位置に移動する消火機構を具備するものである。
【発明の効果】
【００１１】
この発明のガスライターは、操作ボタンの非操作時に、噴出ノズル上の燃料ガスの噴出を抑制する位置にあり、操作ボタンの操作時に、燃料ガスの噴出を開放する位置に移動する蓋部材よりなる消火機構を具備することにより、噴出ノズル内にある弁機構を開くガスレバーの誤作動、ノズル可動部のゴミ詰まりなどに起因する作動戻り不良によって、噴出ノズルから燃料ガスが漏出し続けて残火が存在しても、蓋部材が定位置に戻ることにより噴出ガスが蓋部材に当たって、ガスを遮断または拡散させることになり、残火を確実に消火することができる。
【００１２】
また、この発明のガスライターにおいては、消火機構の蓋部材を円滑に回動でき、かつ、消火機構を小型化できるので、炎を形成するキャップの内側に設けることができる。外観やデザインに影響することがなく、操作においても従来のガスライターと同じである。
【発明を実施するための最良の形態】
【００１３】
（第１の実施形態）
図１は、この発明の消火機構を備えたガスライターの第１の実施形態を縦方向に裁断して示す斜視図（ａ）および正面図（ｂ）である。図２は、この発明の消火機構を備えたガスライターの第１実施形態を示す斜視図であって、図２(ａ)は、キャップ４を外した状態の非操作状態を示す斜視図であり、図２(ｂ)は、キャップ４、仕切板２およびガスレバー７を外した状態の非操作状態を示す斜視図であり、図２(ｃ)は、キャップ４および仕切板２を外した状態の操作状態を示す斜視図である。
【００１４】
ガスライターは、燃料ガスが貯蔵されたライター本体と、このライター本体からのガス通路を開閉して燃料ガスの供給を制御する弁機構62と、この弁機構62に連通してガスを噴出する噴出ノズル６と、この噴出ノズル６を引き上げて弁機構62の開閉作動を行うガスレバー７と、噴出ノズル６から放出されるガスに着火させる圧電ユニット８およびガスレバー７を作動して着火を行う操作ボタン３と、残火消火機構とを備えている。
【００１５】
ライター本体は、合成樹脂で成型された有底筒状のタンク本体の上面に上蓋が気密に固定され、その内部にブタンガスなどの燃料ガスを貯蔵するタンク部分が構成されるとともに、その上部に中間ケース５が嵌着されている。
【００１６】
ライター本体の上蓋には、貯蔵された燃料ガスを噴出量を制御する公知の弁機構62が配設され、弁機構62の中心にパイプ状の噴出ノズル６が軸方向に移動可能に配設され、先端が中間ケース５より上部に突出している。噴出ノズル６の先端部にはノズルチップ61が装着され、放電点火による着火性を向上させるために、噴出されるガスの一部を外周部に拡散させて空気との混合性を高めている。
【００１７】
点火機構は、圧電ユニット８に結線された放電電極81が操作ボタン３の上部に配設され、圧電ユニット８の作動によって発生される高電圧が、放電電極81と噴出ノズル６との間に印加されて放電が行われる。
【００１８】
操作ボタン３の押し下げにより圧電ユニット８の上半分が下降するが、圧電ユニット８の可動部分に、ガスレバー７の脚部に当接してガスレバー７を回動させるレバー押し35が設けられている。
【００１９】
本発明の消火機構は、頂部に火口41を有するキャップ４と操作ボタン３とに囲まれる着火空間において、中間ケース５の上に配置された仕切板２と、先端に軸線から偏心して側方に突出した逆Ｌ字形の蓋部材11を有し、後端にピニオンギア12を有する回動部材１とにより構成される。
【００２０】
仕切板２には、中心線に沿って縦方向に、操作ボタン３に固定された放電電極81が昇降するスリット22が形成され、さらに、仕切板２の中心線より側方に外れた位置に孔21が穿設されており、回動部材１は、この孔21に挿通されて回動する。
【００２１】
操作ボタン３は、その押し下げによりガスレバー７を介して噴出ノズル６を上昇させてノズルチップ61から燃料ガスを噴出させるとともに、圧電ユニット８を押し下げて高電圧パルスを発生させ、放電電極81とノズルチップ61との間に放電して噴出ガスに点火するものであり、この操作ボタン３には、縦方向に溝31が形成されており、この溝31の一側面には、回動部材１のピニオンギア12と噛み合うラック32が形成されている。
【００２２】
蓋部材11は、回動部材１の軸線から偏心して取り付けられているので、操作ボタン３の押し下げにより回動部材１を約９０度回動させると、図２(ａ)、(ｂ)および図３(ａ)、(ｂ)に示す噴出ノズル６のノズルチップ61を塞ぐ位置から、図２(ｃ)および図３(ｃ)、(ｄ)に示すように噴出ノズル６の側方に回動する。
【００２３】
蓋部材11は、着火空間を覆うキャップ４の内側に位置しており、キャップ４の火口41の上に立ち上る炎により直接加熱されることがないので、回動部材１は、耐熱性の合成樹脂により一体成型することができる。なお、回動部材１は、金属で形成してもよいのである。
【００２４】
操作ボタン３を押し下げない非操作状態においては、図２(ａ)、(ｂ)および図３(ａ)、(ｂ)に示すように、蓋部材11がノズルチップ61の上を水平に覆っている。しかし、図２(ｃ)および図３(ｃ)、(ｄ)に示すように、指で操作ボタン３を押し下げると、操作ボタン３とともにラック32が降下するので、ラック32と噛み合うピニオンギヤ12の回転により回動部材１が回動して、蓋部材11を噴出ノズル６の側方へ縦向きに移動させる。
【００２５】
この操作ボタン３の押し下げによって、図２(ｃ)および図３(ｃ)、(ｄ)に示すように、ガスレバー７の回動により噴出ノズル６が上昇させられて、弁機構62が開いて燃料ガスが噴出するとともに、圧電ユニット８も押し下げられる。操作ボタン３が下がりきると、高電圧パルスが発生して放電電極81からの放電により噴出された燃料ガスに着火する。
【００２６】
使用後に操作ボタン３から指を離すと、圧電ユニット８のスプリングの弾力により操作ボタン３が持ち上げられ、ガスレバー７も初期位置に戻って弁機構62を閉じ、燃料ガスの噴出を止めて消火させるとともに、蓋部材11も非操作状態に戻って噴出ノズル６のノズルチップ61の上を水平に覆う。
【００２７】
砂粒などの異物がガスライターの内部に入り込んで、ガスレバー７とライター本体との間に異物が挟まったり、圧電ユニット８の外箱と内箱との隙間に異物が噛み込まれて、操作ボタン３から指を離しても、弁機構62が完全に閉じないで燃料ガスを漏出させる戻り作動不良を生じて、噴出ノズル６のノズルチップ61に火種が残ることがある。このような場合でも、操作ボタン３の上昇により回動部材１が反対方向に回動して、蓋部材11を非操作状態に戻して噴出ノズル６のノズルチップ61を覆うので火種を消すことができる。このとき、蓋部材11が噴出ノズル６のノズルチップ61に完全に密着しなくても消火することができる。
【００２８】
（第２の実施形態）
第２の実施形態の消火機構は、図７の組立図に示すように、金属板を打抜加工してクランク状に曲げ、一端に噴出ノズル６のノズルチップ61を覆う蓋部材11ａが形成され、他端に摺動片13が形成された板状の軸部14よりなる回動部材１ａと、スリット22の下端に連続して形成されてた回動部材１ａの板状の軸部14が挿通される孔23を有する仕切板２ａと、操作ボタン３ａに形成された回動部材１ａの摺動片13が摺動する逆Ｌ字形のカム溝33とにより構成される。
【００２９】
回動部材１ａの板状の軸部14の幅は、仕切板２ａのスリット22の幅より大きく、スリット22の下端に形成された孔23の直径より小さく設定されており、板状の軸部14を仕切板２ａのスリット22に沿って下端まで挿入すると、回動部材１ａは仕切板２の孔23に保持されて回動可能となる。
【００３０】
回動部材１ａを保持した仕切板２ａを中間ケース５の上に取り付け、回動部材１ａの摺動片13を操作ボタン３ａの逆Ｌ字形のカム溝33に合わせる。
【００３１】
キャップを外した状態を示す図５(ａ)の斜視図およびキャップと仕切板２ａを外した状態を示す図６(ａ)の斜視図に示すように、操作ボタン３ａが押し下げられていない非操作状態においては、蓋部材11ａは、噴出ノズル６のノズルチップ61を覆う位置で静止している。
【００３２】
操作ボタン３ａが押し下げられると、図５(ｂ)および図６(ｂ)に示すように、操作ボタン３ａのカム溝33によって回動部材１ａの摺動片63が押し下げられて回動するので、蓋部材11ａも、約９０度回動させられて噴出ノズル６の側方に回動する。このように、蓋部材11ａが噴出ノズル６の側方に回動する時点には、レバー押し35によりガスレバー７が作動させられて弁機構62を開き、噴出ノズル６から燃料ガスが噴出し、圧電ユニット８が作動して発生した高電圧パルスの放電により噴出された燃料ガスに着火する。
【００３３】
使用後に操作ボタン３ａから指を離すと、圧電ユニット８のスプリングの弾力により操作ボタン３ａが持ち上げられ、ガスレバー７も初期位置に戻って弁機構62を閉じ、ガスの噴出を止めて消火するとともに、蓋部材11ａも非操作位置に戻って噴出ノズル６のノズルチップ61の上を水平に覆う。
【００３４】
第１の実施形態と同様に、操作ボタン３ａから指を離しても、弁機構62が完全に閉じないでノズルチップ61から燃料ガスを漏出させて火種が残っても、操作ボタン３ａの上昇により回動部材１ａが反対方向に回動して、蓋部材11ａを非操作位置に戻して噴出ノズル６のノズルチップ61を覆うので火種を消すことができる。
【００３５】
（第３の実施形態）
第３の実施形態の消火機構は、図８の組立図に示すように、一端に噴出ノズル６のノズルチップ61を覆う蓋部材11ｂが形成され、他端に板状の摺動片15が形成された棒状の回動部材１ｂと、この回動部材１ｂを挿通する孔24が穿設された仕切板２ｂと、操作ボタン３ｂに形成された回動部材１ｂの摺動片15が摺動するＪ字形のカム溝34とにより構成される。
【００３６】
仕切板２ｂには、中心線に沿って縦方向に、放電電極81が昇降するスリット22が形成され、さらに、仕切板２ａの中心線より側方に外れた位置に孔24が穿設されており、回動部材１ｂは、この孔24に挿通されて回動する。
【００３７】
回動部材1ｃを孔24に挿通して保持した仕切板２ｂを中間ケース５の上に取り付け、回動部材１ｂの摺動片15を操作ボタン３ｂのＪ字形のカム溝34に合わせる。
【００３８】
操作ボタン３ｂが押し下げられていない非操作状態においては、回動部材１ｂの板状の摺動片15が、操作ボタン３ｂのＪ字形のカム溝34の下端に斜め横向きに係合して、図８に示すように、蓋部材11ｂは噴出ノズルの噴出口を覆う位置で静止している。
【００３９】
操作ボタン３ｂが押し下げられると、回動部材１ｂの摺動片15が操作ボタン３ｂのカム溝34に沿って摺動し、カム溝34の上方において縦向きに係合して、蓋部材11ｂは、約９０度回動させられて噴出ノズルの側方に回動する。
【００４０】
第１の実施形態と同様に、蓋部材11ｂが噴出ノズルの側方に回動する時点には、噴出ノズルから燃料ガスが噴出し、圧電ユニット８が作動して発生した高電圧パルスの放電により噴出された燃料ガスに着火する。
【００４１】
使用後に操作ボタン３ｂから指を離すと、圧電ユニット８のスプリングの弾力により操作ボタン３ｂが持ち上げられ、ガスレバー７も初期位置に戻って弁機構62を閉じ、ガスの噴出を止めて消火されるとともに、蓋部材11ｂも非操作位置に戻って噴出ノズル６の上を水平に覆う。
【００４２】
第１の実施形態と同様に、操作ボタン３ｂから指を離しても、弁機構62が完全に閉じないで噴出ノズル６から燃料ガスを漏出させてノズルチップ61に残火が存在しても、操作ボタン３ｂの上昇により回動部材１ｂが反対方向に回動して、蓋部材11ｂを初期位置に戻して噴出ノズル６のノズルチップ61を覆うので残火を消すことができる。
【図面の簡単な説明】
【００４３】
【図１】この発明の消火機構を備えた第１の実施形態のガスライターの上部を縦方向に裁断して示した斜視図（ａ）および正面図（ｂ）、
【図２】第１の実施形態における一部の部品を除去して示す非操作状態の斜視図（ａ）（ｂ）および操作状態の斜視図（ｃ）、
【図３】第１の実施形態における一部の部品を除去して示す非操作状態の正面図（ａ）および平面図（ｂ）、操作状態の正面図（ｃ）および平面図（ｄ）、
【図４】第１の実施形態における消火機構の構成部品を示す組立図、
【図５】第２の実施形態における一部の部品を除去して示す非操作状態の斜視図（ａ）および操作状態の斜視図（ｂ）、
【図６】第２の実施形態におけるさらに一部の部品を除去して示す非操作状態の斜視図（ａ）および操作状態の斜視図（ｂ）、
【図７】第２の実施形態における消火機構の構成部品を示す組立図、
【図８】第３の実施形態における消火機構の構成部品を示す組立図である。
【符号の説明】
【００４４】
１、1ａ、1ｂ  回動部材
11、11ａ、11ｂ  蓋部材
12  ピニオンギヤ
13、15  摺動片
14  軸部
２、２ａ  仕切板
21、23、24  孔
22  スリット
３、３ａ、３ｂ  操作ボタン
31  溝
32  ラック
33  逆Ｌ字形のカム溝
34  Ｊ字形のカム溝
35  レバー押し
４  キャップ
41  火口
42  通風孔
５  中間ケース
６  噴出ノズル
61  ノズルチップ
62  弁機構
７  ガスレバー
８  圧電ユニット
81  放電電極
【図１】
2007198616.tif 000003
【図２】
2007198616.tif 000004
【図３】
2007198616.tif 000005
【図４】
2007198616.tif 000006
【図５】
2007198616.tif 000007
【図６】
2007198616.tif 000008
【図７】
2007198616.tif 000009
【図８】
2007198616.tif 000010